(57)【要約】【課題】不正開封を容易に判定できるカートンを提供する。【解決手段】本体２の側板部２２に、開口面２４に連続する案内溝部２６の軸方向の一縁の中間部から周方向に向けて切取線２７Ａで囲まれた切取領域２７を設け、切取領域２７を蓋体３の内面に接着する。開封時は、本体２および蓋体３を周方向で相対的に移動することで、切取領域２７を切取線２７Ａで蓋体３側に切り取る。蓋体３を本体２に取り付けると、本体２の側板部２２が蓋体３の天板３１に当接し、本体２の底板２１から蓋体３の天板３１までの軸方向の距離が、未開封のカートン１の距離に比して短くなるので、開封されたことを利用者が容易に確認でき、改竄などの不正開封があっても容易に判定できる。【選択図】図２
2014172641.tif 000002
【特許請求の範囲】
【請求項１】
軸方向の一端に開口面を有する有底円筒状の本体と、軸方向の一端に前記本体を嵌挿する開口を有した有天円筒状の蓋体とを備えたカートンであって、
前記本体は、円板状の底板と、当該底板の外周縁から一面側に立設され内周側に収容空間を区画する円筒状の側板部とを有し、
前記蓋体は、円板状の天板と、当該天板の外周縁から一面側に立設され内周側に前記本体を嵌挿する円筒状の側面部とを有し、
前記本体の側板部は、外周面に前記開口面に連続し軸方向に沿った案内溝部と、当該案内溝部の軸方向の一縁の中間部から周方向に向けて、当該案内溝部の周方向における幅寸法より周方向の長さ寸法が短い領域で切取線にて囲まれ、前記蓋体の側面部の内周面に接着され、前記蓋体の開封時に当該切取線で切り取られる切取領域と、を備え、
前記蓋体は、前記本体の開口縁が軸方向において当該蓋体の内面に所定の間隙を介して対向して前記本体を嵌挿した状態で、前記蓋体の側面部の内周面に前記切取領域が接着されて、前記本体に取り付けられる
ことを特徴とするカートン。
【請求項２】
請求項１に記載のカートンであって、
前記切取領域は、ホットメルトにより接着される
ことを特徴とするカートン。
【請求項３】
請求項１または請求項２に記載のカートンであって、
前記本体の側板部は、前記案内溝部を形成する切欠および当該切欠に亘る前記切取線により形成される切取領域を有した円筒状の外側板と、当該外側板の内面に少なくとも前記切欠を塞ぐ位置に、前記切取領域が接着されることなく積層して設けられた内側板とを備えている
ことを特徴とするカートン。
【請求項４】
請求項１から請求項３までのいずれか一項に記載のカートンであって、
前記切取領域は、複数設けられた
ことを特徴とするカートン。
【請求項５】
請求項１から請求項４までのいずれか一項に記載のカートンであって、
前記本体に取り付けられた蓋体の側面部の外周面から前記本体の底板の底面に亘ってテープが取り付けられる
ことを特徴とするカートン。
【請求項６】
請求項１から請求項５までのいずれか一項に記載のカートンであって、
前記本体および前記蓋体の少なくともいずれか一方を周方向で相対的に移動させて開封する旨の表示が設けられている
ことを特徴とするカートン。
【発明の詳細な説明】
【技術分野】
【０００１】
本発明は、有底円筒状の本体と有天円筒状の蓋体とを備えたカートンに関する。
【背景技術】
【０００２】
従来、本体と、蓋体とからなり、ブロックチーズなどの個包装された内容物を収納する身蓋カートンが知られている。このような身蓋カートンでは、本体に内容物を配置し、その後、本体を蓋体で覆い、封緘用のテープをカートンの底面角部に、本体と蓋体とに跨るように貼着してカートンを封止する。このようなカートンにおいては、一旦テープを剥がしてカートンを開封した場合でも、再度テープを貼り直してカートンを封止することが可能であり、いわゆる不正開封が比較的容易という問題があった。
【０００３】
このため、従来、この不正開封を防止するために、一旦剥がすと一部が本体の底面部に貼り付いたままとなり、開封されたことを示すテープを用いたり、剥がす途中で切れて再度貼り直すことができないテープを用いることが考えられている。
また、例えば、特許文献１のような不正開封防止対策を施した身蓋カートンが知られている。特許文献１の身蓋カートンでは胴部円筒形周面にジッパーまたはミシン目を設け、易開封かつ、不正開封防止を可能としているが、開封後、再封できないという問題があった。
【先行技術文献】
【特許文献】
【０００４】
【特許文献１】特開２００６−２８２１７５号公報
【発明の概要】
【発明が解決しようとする課題】
【０００５】
しかしながら、テープは、側面から底面に掛けて貼付されるので、開封されたことを示すテープが貼り直された場合、あるいは、途中で切れてしまうテープでも、新たにテープが重ねて貼り合わされた場合、一見では判断しにくい問題がある。
【０００６】
本発明では、不正開封を容易に判定できるカートンを提供することを目的とする。
【課題を解決するための手段】
【０００７】
すなわち、本発明は、以下の態様を含むものである。
（１）軸方向の一端に開口面を有する有底円筒状の本体と、軸方向の一端に前記本体を嵌挿する開口を有した有天円筒状の蓋体とを備えたカートンであって、前記本体は、円板状の底板と、当該底板の外周縁から一面側に立設され内周側に収容空間を区画する円筒状の側板部とを有し、前記蓋体は、円板状の天板と、当該天板の外周縁から一面側に立設され内周側に前記本体を嵌挿する円筒状の側面部とを有し、前記本体の側板部は、外周面に前記開口面に連続し軸方向に沿った案内溝部と、当該案内溝部の軸方向の一縁の中間部から周方向に向けて、当該案内溝部の周方向における幅寸法より周方向の長さ寸法が短い領域で切取線にて囲まれ、前記蓋体の側面部の内周面に接着され、前記蓋体の開封時に当該切取線で切り取られる切取領域と、を備え、前記蓋体は、前記本体の開口縁が軸方向において当該蓋体の内面に所定の間隙を介して対向して前記本体を嵌挿した状態で、前記蓋体の側面部の内周面に前記切取領域が接着されて、前記本体に取り付けられることを特徴とするカートン。
（２）（１）に記載のカートンであって、前記切取領域は、ホットメルトにより接着されることを特徴とするカートン。
（３）（１）または（２）に記載のカートンであって、前記本体の側板部は、前記案内溝部を形成する切欠および当該切欠に亘る前記切取線により形成される切取領域を有した円筒状の外側板と、当該外側板の内面に少なくとも前記切欠を塞ぐ位置に、前記切取領域が接着されることなく積層して設けられた内側板とを備えていることを特徴とするカートン。
（４）（１）から（３）までのいずれか一項に記載のカートンであって、前記切取領域は、複数設けられたことを特徴とするカートン。
（５）（１）から（４）までのいずれか一項に記載のカートンであって、前記本体に取り付けられた蓋体の側面部の外周面から前記本体の底板の底面に亘ってテープが取り付けられることを特徴とするカートン。
（６）（１）から（５）までのいずれか一項に記載のカートンであって、前記本体および前記蓋体の少なくともいずれか一方を周方向で相対的に移動させて開封する旨の表示が設けられていることを特徴とするカートン。
【発明の効果】
【０００８】
本発明のカートンでは、蓋体を本体から取り外すことにより、本体の側板部の切取領域が切取線で蓋体側に切り取られ、蓋体が本体から取り外される。蓋体の開口内に本体を嵌挿して蓋体を本体に取り付けると、本体の開口縁が蓋体の内面に当接することとなり、本体の底板から蓋体の天板までの軸方向の距離が、未開封時の距離より短くなる状態となる。このため、開封後に蓋体を取り付けても、未開封のカートンに比して軸方向の寸法が短くなることから、開封されたことを利用者が容易に確認でき、改竄などの不正開封を容易に判定できる。
【図面の簡単な説明】
【０００９】
【図１】本発明の一実施形態に係るカートンを示す分解斜視図。
【図２】前記カートンの蓋体が取り付けられた状態を示す斜視図。
【図３】前記図２中のIII−III断面図。
【図４】前記カートンの蓋体の取り外しを説明する斜視図。
【図５】前記カートンの開封後に蓋体を取り付けた状態を示す斜視図。
【図６】前記図５中のVI−VI断面図。
【発明を実施するための形態】
【００１０】
本発明のカートンは、軸方向の一端に開口面を有する有底円筒状の本体と、軸方向の一端に前記本体を嵌挿する開口を有した有天円筒状の蓋体とを備えたカートンであって、前記本体は、円板状の底板と、当該底板の外周縁から一面側に立設され内周側に収容空間を区画する円筒状の側板部とを有し、前記蓋体は、円板状の天板と、当該天板の外周縁から一面側に立設され内周側に前記本体を嵌挿する円筒状の側面部とを有し、前記本体の側板部は、外周面に前記開口面に連続し軸方向に沿った案内溝部と、当該案内溝部の軸方向の一縁の中間部から周方向に向けて、当該案内溝部の周方向における幅寸法より周方向の長さ寸法が短い領域で切取線にて囲まれ、前記蓋体の側面部の内周面に接着され、前記蓋体の開封時に当該切取線で切り取られる切取領域と、を備え、前記蓋体は、前記本体の開口縁が軸方向において当該蓋体の内面に所定の間隙を介して対向して前記本体を嵌挿した状態で、前記蓋体の側面部の内周面に前記切取領域が接着されて、前記本体に取り付けられることを特徴とする。
この発明では、本体の側板部の切取線で囲まれた切取領域が蓋体の側面部の内周面に接着されているので、蓋体を本体から取り外すことにより、本体の側板部の切取領域が切取線で切り取られ、蓋体の内周面に接着する状態で、蓋体が本体から取り外される。そして、蓋体の開口内に本体を嵌挿して蓋体を本体に取り付けると、本体の開口縁が蓋体の内面に当接することとなり、本体の底板から蓋体の天板までの軸方向の距離が、未開封時の距離より短くなる状態となる。
このため、本発明によれば、開封後に蓋体を取り付けても、未開封のカートンに比して軸方向の寸法が短くなるので、開封されたことを利用者が容易に確認でき、改竄などの不正開封を容易に判定できる。
【００１１】
そして、本発明では、前記切取領域は、ホットメルトにより接着される構成とすることが好ましい。
この発明では、切取領域に予めホットメルトを塗布しておき、本体の開口縁が軸方向において蓋体の内面に所定の間隙を介して対向して本体を蓋体内に嵌挿した状態で、蓋体の側面部の外周側から熱を加えてホットメルトを溶融させることで、切取領域を蓋体に接着できる。
このため、本体の切取領域を容易に蓋体の内面に接着できる。
【００１２】
また、本発明では、前記本体の側板部は、前記案内溝部を形成する切欠および当該切欠に亘る前記切取線により形成される切取領域を有した円筒状の外側板と、当該外側板の内面に少なくとも前記切欠を塞ぐ位置に、前記切取領域が接着されることなく積層して設けられた内側板とを備えている構成とすることが好ましい。
この発明では、本体の側板部として、円筒状の外側板の内面に、少なくとも切欠を塞ぐ位置に、切取領域と接着することなく内側板を積層して構成することで、本体の側板部の外周面に、開封時に蓋体側に切取領域が切り取られ、未開封状態に再封止することが困難で改竄などの不正開封を容易に判定できる構成を、容易に形成できる。
【００１３】
さらに、本発明では、前記切取領域は、複数設けられた構成とすることが好ましい。
この発明では、切取領域を複数設ける構成とすることで、開封後に切取領域を切取線の領域内に合わせて再封止することがより困難となる構成が容易に得られる。
【００１４】
そして、本発明では、前記本体に取り付けられた蓋体の側面部の外周面から前記本体の底板の底面に亘ってテープが取り付けられる構成とすることが好ましい。
この発明では、蓋体の側面部の外周面から本体の底面に亘ってテープを取り付けることで、テープによる改竄防止効果が得られるとともに、未開封状態の本体と蓋体との相対位置に再封止する作業がより困難となる構成が得られる。
【００１５】
また、本発明では、前記本体および前記蓋体の少なくともいずれか一方を周方向で相対的に移動させて開封する旨の表示が設けられている構成とすることが好ましい。
この発明では、本体および蓋体を相対的に周方向に移動させて開封する旨の表示を設けることで、利用者は容易に開封することができる。
【００１６】
［カートンの構成］
以下、本発明の一実施形態に係るカートンの構成について図面を参照して説明する。
図１は、本実施形態に係るカートンを示す分解斜視図である。図２は、本実施形態のカートンにおける蓋体が取り付けられた状態を示す斜視図である。図３は、図２におけるIII−III断面図である。
【００１７】
本実施形態に係るカートン１は、図１−３に示すように、例えば平面視で扇状のブロックチーズなどの個包装された内容物（図示せず）を収納する容器である。そして、カートン１は、本体２と、本体２に組み合わされて本体２を覆うとともに、本体２から分離可能な蓋体３とを備え、蓋体３から本体２に亘って貼付された粘着テープなどの一対の封緘テープ４により封止される。
【００１８】
本体２は、トムソン刃などを用いて板紙などのシート材を型抜きすることにより得られたブランクから形成されている。本体２は、円板状の底板２１と、底板２１の外周縁から一面側に立設され内周側に収容空間２３を区間する円筒状の側板部２２とを備え、軸方向の一端である上端に開口面２４を有する有底円筒状に形成されている。
側板部２２は、図３に示すように、軸方向の一端縁が内方に屈曲された底板係止部２２Ａを有している。そして、本体２は、側板部２２に嵌挿された底板２１が底板係止部２２Ａにより係止されて接着され、有底円筒状に形成されている。
【００１９】
また、側板部２２は、略円筒状の外側板２２Ｂと、当該外側板２２Ｂの内周面の一部に積層された内側板２２Ｃとを備えている。
外側板２２Ｂには、開口面２４に連続し軸方向に沿った凹溝状で内側板２２Ｃの外周面を外面に露出して案内溝部２６を形成する切欠２６Ａと、当該切欠２６Ａの軸方向の一縁の中間部から周方向に沿って所定の領域で切取線２７Ａにて囲まれ、内側板２２Ｃには非接着の切取領域２７とが設けられている。そして、側板部２２は、あらかじめ切欠２６Ａおよび切取領域２７が設けられた外側板２２Ｂの内周面側に内側板２２Ｃが積層されて形成されている。
【００２０】
ここで、切取領域２７は、図１に示すように、案内溝部２６の周方向における幅寸法Ａよりも短い距離Ｂの長さ、例えば幅寸法Ａが２０ｍｍ程度とした時、距離Ｂが１５ｍｍ程度に設定される。
また、切取領域２７は、開口面２４から軸方向に距離Ｃの長さで設けられた案内溝部２６における下端から距離Ｄで上方に位置した中間位置に軸方向の幅寸法Ｅとして、例えば距離Ｃが１２ｍｍ程度とした時、距離Ｄが３ｍｍ程度、幅寸法Ｅが５ｍｍで形成される。
【００２１】
そして、切取領域２７は、接着剤２８が塗布され、蓋体３に接着されることで内容物が封止される。接着剤２８としては、各種接着剤を用いることができるが、例えばホットメルトなど、熱や光などの処理を施すことで溶融するなどして接着性を示すものなどが、内容物の封止作業が容易となるので有効に利用できる。
なお、本体２の側板部２２の外周面には、本体２と蓋体３とを周方向で相対的に移動させることで開封できる旨の表示、具体的には周方向に沿った矢印表示２９が設けられている。
【００２２】
蓋体３は、図１−３に示すように、本体２と同様に、ブランクから形成される。蓋体３は、円板状の天板３１と、天板３１の外周縁から一面側に立設され内周側に本体２を嵌挿する円筒状の側面部３２とを備え、軸方向の一端である下端面に開口３３を有する有天円筒状に形成されている。
側面部３２は、軸方向の一端縁が内方に屈曲された天板係止部３２Ａを有している。そして、蓋体３は、側面部３２に完走された天板３１が天板係止部３２Ａにより係止されて接着され、有天円筒状に形成されている。
蓋体３は、側面部３２の内径が本体２の側板部２２の外径と同径もしくは若干径大で、かつ側面部３２の高さ寸法が本体２の側板部２２の高さ寸法と同寸法もしくは若干低い高さ寸法に形成されている。
そして、蓋体３が本体２を覆って取り付けられた状態で、蓋体３の側面部３２の外周面から本体２の底板２１の底面に亘って封緘テープ４が取り付けられ、内容物が封止される。
なお、蓋体３の側面部３２の外周面には、本体２と蓋体３とを周方向で相対的に移動させることで開封できる旨の表示、具体的には矢印表示２９と反対方向の周方向に沿った矢印表示３５が設けられている。
【００２３】
［カートンの封止動作］
次に、カートンの封止動作について説明する。
包装装置であらかじめ個包装された内容物を、収納装置により本体２の収容空間２３内に全体として円柱状となるように並べられる。
また、本体２の切取領域２７の外面には、切取線から外側にはみ出ないように、接着剤２８、具体的にはホットメルトが塗布される。
この後、蓋体３の側面部３２の内周側に、本体２の側板部２２を嵌挿させて内容物を覆う。この状態では、図２に示すように、本体２の側板部２２の軸方向の上端縁が蓋体３の天板３１の下面に所定の間隙Ｘ（図３参照）を介して対向する状態に維持する。この状態で、蓋体３の側面部３２の外面側から接着剤２８に対応する位置を加熱し、蓋体３の側面部３２の内面に切取領域２７を接着し、本体２に蓋体３を取り付ける。
この後、蓋体３の側面部３２の外周面から本体２の底板２１の底面に亘って封緘テープ４が取り付けられ、封止工程が完了する。
【００２４】
［カートンの開封］
次に、カートンの開封動作について説明する。
まず、利用者は、封緘テープ４を剥離する。
この後、利用者は、矢印表示２９に従って、本体２と蓋体３とを周方向で相対的に移動させる力を作用させる。この力の作用により、蓋体３に接着する切取領域２７が本体２の外側板２２Ｂから切取線２７Ａで切り取られ、図４に示すように、案内溝部２６内に位置する状態となる。
この状態で、本体２と蓋体３とを相対的に離間する方向に移動することで、蓋体３が取り外されて、内容物を取り出し可能となる。
【００２５】
内容物の一部を取り出した後、再び冷蔵保存の為に蓋体３を本体２に取り付けると、図５および図６に示すように、蓋体３の切取領域２７が案内溝部２６の下端縁まで入り込むとともに、本体２の側板部２２の上端縁が蓋体３の天板３１に当接する状態となる。
この後、必要に応じて、封緘テープ４を再び取り付けて封止される。
この図５および図６に示す封止状態では、図２および図３に示す未開封時の本体２と蓋体３との相対的な位置関係より、本体２と蓋体３とが近接する状態となり、高さ寸法が明らかに低くなる。さらに、蓋体３の開口３３から臨む本体２もほとんど蓋体３に隠れる状態となり、一見して開封されたことが認められる。このように、上記実施形態の構成では、開封されたことが容易に判定できるため、改竄などの不正開封を容易に判定できる。
【００２６】
以上のような本実施形態によれば、次のような効果が得られる。
（１）本実施形態のカートン１では、本体２の側板部２２に、開口面２４に連続する案内溝部２６の軸方向の一縁の中間部から周方向に向けて、切取線２７Ａで囲まれた切取領域２７を設け、当該切取領域２７を蓋体３の内面に接着している。そして、開封時には、切取領域２７が切取線２７Ａで蓋体３側に切り取られる構成としている。
このため、蓋体３を本体２に取り付けると、本体２の開口縁となる側板部２２が蓋体３の天板３１に当接し、本体２の底板２１から蓋体３の天板３１までの軸方向の距離が、未開封のカートン１の距離に比して短くなるので、開封されたことを利用者が容易に確認できる。よって、改竄などの不正開封があっても、容易に判定できる。
そして、周方向に長手状の切取領域２７としているので、ブロックチーズなどの個包装された内容物を収納する底の浅いカートン１でも、蓋体３側に切り取られる切取領域２７を容易に形成できるとともに、本体２および蓋体３を周方向で相対的に移動させて開封することが容易にできる。
【００２７】
（２）本実施形態では、切取領域２７に予め接着剤２８であるホットメルトを塗布しておき、本体２の側板部２２の上端縁が軸方向において蓋体３の天板３１に所定の間隙Ｘ（図３参照）を介して対向した状態で、蓋体３の側面部３２の外周側から熱を加えてホットメルトを溶融させることで、切取領域２７を蓋体３に接着させている。
このため、本体２の切取領域２７を容易に蓋体３の内面に接着することができる。
【００２８】
（３）本実施形態では、本体２の側板部２２として、円筒状の外側板２２Ｂの内面に、少なくとも切欠２６Ａを塞ぐ位置に、切取領域２７と接着することなく内側板２２Ｃを積層して形成している。
このため、再封止の際に自重により本体２と蓋体３との軸方向の寸法が最小となる状態なるので、未開封状態に再封止することが困難で、改竄などの不正開封を容易に判定できる構成を容易に形成できる。
【００２９】
（４）本実施形態では、蓋体３の側面部３２の外周面から本体２の底面に亘って封緘テープ４を取り付けている。
このため、封緘テープ４による改竄防止効果が得られるとともに、未開封状態の本体２と蓋体３との相対的な位置関係に再封止する作業がより困難となる構成が、封緘テープ４を取り付ける簡単な構成で得られる。
【００３０】
［変形例］
なお、以上説明した態様は、本発明の一態様を示したものであって、本発明は、前記した実施形態に限定されるものではなく、本発明の構成を備え、目的および効果を達成できる範囲内での変形や改良が、本発明の内容に含まれるものであることはいうまでもない。
具体的には、ロックチーズなどの個包装された内容物を収納する容器に限らず、食材や食品の他、化粧品、接着剤や充填剤、グリースなどの工業品、ビーズやクリップなどの玩具や文具など、各種物品の収納に利用できる。
【００３１】
そして、上記実施形態では、本体２の側板部２２として、外側板２２Ｂの切欠２６Ａに対応する位置に切欠２６Ａを塞ぐように内側板２２Ｃを積層して形成したものに限らず、例えば、外側板２２Ｂの内面全周に亘って内側板２２Ｃを設ける二重構造とするなど、少なくとも切欠２６Ａを塞ぐ位置に設けられていればよい。
【００３２】
また、切取領域２７は、１カ所に限られるものではなく、複数箇所に設けてもよい。
複数箇所に設けることで、開封後に切取領域２７を切取線２７Ａの領域内に合わせて未開封状態に再封止することがより困難となるので好ましい。
なお、複数の切取領域２７を周方向で等間隔となるように設けてもよいが、非等間隔とすることで、開封後に切取領域２７を切取線２７Ａの領域内に合わせて未開封状態に再封止することがより困難となるので好ましい。
そして、切取領域２７を周方向に長手状に形成する場合に限らず、軸方向に長手状に形成したり、案内溝部２６の一縁から半円状に形成したりするなど、各種形状に形成することができる。
【００３３】
さらに、封緘テープ４を取り付けなくてもよい。
すなわち、切取領域２７を複数設けることで、本体２と蓋体３とを複数箇所で接着される。このように、本体２と蓋体３との十分な封止強度が得られれば、封緘テープ４を設けず、封緘テープ４の利用によるコストを低減できるとともに、利用者の開封作業性も向上できる。
【００３４】
そして、本体２と蓋体３とを周方向で相対的に移動させることで開封できる旨の表示としては、矢印表示２９の他、説明書きや複数のマークが次第に大きくなるなどの方向を示す表示などとしてもよい。
また、開封方向を示す表示は、カートン１を包装する包装紙などに表示してカートン１自体には設けない構成とするなどしてもよい。
さらに、カートン１を紙により形成したが、合成樹脂シートからシート成形したものや、樹脂原料を射出成形したものなど、合成樹脂製のものでもよい。
【００３５】
その他、本発明を実施する際における具体的な構造および形状などは、本発明の目的および効果を達成できる範囲内において、他の構造や形状などとしても問題はない。
【産業上の利用可能性】
【００３６】
本発明は、食品、化粧品、工業品、玩具や文具などの各種物品を収容するカートンに適用できる。
【符号の説明】
【００３７】
１……カートン
２……本体
３……蓋体
２１……底板
２２……側板部
２３……収容空間
２４……開口面
２６……案内溝部
２６Ａ…切欠
２７……切取領域
２７Ａ…切取線
２８……ホットメルトである接着剤
２９……表示である矢印表示
３１……天板
３２……側面部
３３……開口
３５……表示である矢印表示
Ｘ……間隙
【図１】
2014172641.tif 000003
【図２】
2014172641.tif 000004
【図３】
2014172641.tif 000005
【図４】
2014172641.tif 000006
【図５】
2014172641.tif 000007
【図６】
2014172641.tif 000008